(57)【要約】【課題】送信電波を確実に受信可能な受信回路を提供すること。【解決手段】受信回路６は、ミキサ１８、信号強度検出回路２１、静電容量変更回路２３、周波数決定回路２４及びＰＬＬ回路２５を備えている。ミキサの入力端子には受信信号及び局部発振信号が入力される。ミキサ１８は両信号を混合して中間周波信号を生成する。信号強度検出回路２１は中間周波信号の強度を検出する。受信回路６は受信信号の周波数に局部発振信号のそれを合わせるように動作する。【選択図】        図１
2004343294.tif 000002
【特許請求の範囲】
【請求項１】
局部発振信号を生成する局部発振手段と、
受信信号と前記局部発振信号から中間周波信号を生成するミキサと、
前記中間周波信号の強度に応じた強度電圧を出力する検出手段と、
前記局部発振信号の周波数を制御する基準信号を生成する信号生成手段と、
前記強度電圧に基づいて前記基準信号の周波数を決定する周波数決定手段と、
前記中間周波信号に基づいて受信信号を検波する検波手段を備え、
前記周波数決定手段は前記強度電圧に応じて前記基準信号の周波数を変更又は保持することを特徴とする受信回路。
【請求項２】
前記周波数決定手段は、静電容量に基づいて前記基準信号の周波数を決定する可変容量コンデンサを備え、
前記強度電圧に基づいて前記可変容量コンデンサに印加する印加電圧を変化させることで前記可変容量コンデンサの静電容量を変化させる静電容量変更手段を備えたことを特徴とする請求項１に記載の受信回路。
【請求項３】
前記静電容量変更手段は前記強度電圧と基準電圧との比較結果に応じてオンオフするスイッチング素子を備え、該スイッチング素子を介して前記可変容量コンデンサに電源を供給することを特徴とする請求項２に記載の受信回路。
【発明の詳細な説明】
【０００１】
【発明の属する技術分野】
本発明は、受信回路に関するものである。
【０００２】
【従来の技術】
従来、自動車においては「電波キーシステム」と呼ばれるリモコン装置が広く使われるようになってきた。電波キーシステムでは、例えば、イグニッションキーに内蔵した送信機から電波を発し、その電波を車載受信機にて受信することにより、自動車から離れた場所からでもドアロックやエンジン始動などの制御を行うことができる（例えば、特許文献１参照。）。
【０００３】
このような送信機では狭帯域ＦＭ信号を用いており、受信機は受信する電波の周波数領域を送信機から送信される電波の周波数に一致させて該電波を受信している。
【０００４】
【特許文献１】
特開２００２−２４２５０３号公報（図１）
【０００５】
【発明が解決しようとする課題】
ところで、送信機の発振回路には安定した発振周波数を一般に高価な水晶を用いた水晶発振回路が用いられており送信機のコストが高くなるため、例えば安価に手に入るＳＡＷ共振子を用いて送信機の発振回路を構成したいという要望があった。
【０００６】
しかしながら、ＳＡＷ共振子を用いて発振回路を構成すると、該発振回路にて生成される信号の周波数に偏差が生じるため、送信機から送信される電波にも周波数の偏差が発生することが知られている。このような場合には、受信機が受信する電波の周波数領域を送信機から送信される電波の周波数に一致させることができないため、受信機は送信された電波を好適に受信できないという問題があった。
【０００７】
本発明はこのような問題点を解決するためになされたものであって、その目的は、送信電波を確実に受信可能な受信回路を提供することにある。
【０００８】
【課題を解決するための手段】
上記の課題を解決するために、請求項１に記載の発明では、局部発振信号を生成する局部発振手段と、受信信号と前記局部発振信号から中間周波信号を生成するミキサと、前記中間周波信号の強度に応じた強度電圧を出力する検出手段と、前記局部発振信号の周波数を制御する基準信号を生成する信号生成手段と、前記強度電圧に基づいて前記基準信号の周波数を決定する周波数決定手段と、前記中間周波信号に基づいて受信信号を検波する検波手段を備え、前記周波数決定手段は前記強度電圧に応じて前記基準信号の周波数を変更又は保持した。
【０００９】
従って、請求項１に記載の発明によれば、基準信号の周波数は中間周波信号が好適な値を得られるようにその値が調整される。従って、受信信号の周波数が周囲の温度などにより変化しても強度の強い中間周波信号を得ることができ、好適に受信信号の検波が行われる。
【００１０】
請求項２に記載の発明は、請求項１に記載の発明において、前記周波数決定手段は、静電容量に基づいて前記基準信号の周波数を決定する可変容量コンデンサを備え、前記強度電圧に基づいて前記可変容量コンデンサに印加する印加電圧を変化させることで前記可変容量コンデンサの静電容量を変化させる静電容量変更手段を備えた。
【００１１】
従って、請求項２に記載の発明によれば静電容量変更手段にて可変容量コンデンサの静電容量を制御することで容易に基準信号の周波数が変更される。
請求項３に記載の発明は、請求項２に記載の発明において、前記静電容量変更手段は前記強度電圧と基準電圧との比較結果に応じてオンオフするスイッチング素子を備え、該スイッチング素子を介して前記可変容量コンデンサに電源を供給した。
【００１２】
従って、請求項３に記載の発明によれば、強度電圧と基準電圧との比較結果に応じてスイッチング素子がオンオフ制御されるため、例えばＣＰＵ等を用いて可変容量コンデンサに供給する電源の制御を行う必要がない。
【００１３】
【発明の実施の形態】
以下、本発明を具体化した一実施形態を図１〜図５に基づき詳細に説明する。
図４は、リモートキーシステム１の概略構成図である。
【００１４】
リモートキーシステムは、所有者（家人・運転者など）によって所持される送信機２と、ドア３におけるドア錠の近辺に設けられた制御装置４とから構成されている。そして、送信機２に設けられた操作スイッチ２ａが操作されると、送信機２は所定のＩＤコードを含む送信信号を送信する。制御装置４は、受信アンテナ５にて送信信号を受信すると、該信号を受信信号として受信回路６に入力する。受信回路６は受信信号が入力されると、該信号をマイクロコンピュータ（マイコン）７にて読み取り可能な信号に変換し、マイコン７に出力する。
【００１５】
マイコン７は、受信回路６から入力された信号に含まれる送信機２のＩＤコードと、自身に予め設定されたＩＤコードとを比較（ＩＤコード照合）し、それらＩＤコード同士が一致したときにドアロック駆動装置８を駆動させてドア錠を解錠または施錠させる。
【００１６】
このため、所有者は、機械鍵を用いることなく遠隔操作によってドア錠の施解錠を行うことができ、操作性が向上する。また、ドア錠は電子符号錠となっているため、セキュリティレベルも向上する。
【００１７】
マイコン７にはバッテリ９から駆動電源が供給されている。また、バッテリ９はタイマ回路１０に接続されている。タイマ回路１０は、受信回路６に対して所定の周期で間欠的に給電を行うとともに、マイコン７から入力される給電信号に応答して受信回路６に駆動電源を供給する。
【００１８】
マイコン７は、受信回路６から入力される受信信号に基づいて、該受信回路６が送信機２からの電波を受信しているか否かを判断する。マイコン７は受信回路６が電波を受信していないと判断すると、機能制限を行うことによって電力消費量が低減される休止モードとなる。一方、受信回路６が受信周波数の電波を受信していると判断すると、マイコン７は制御を休止モードから起動モードに切り換え、受信回路６を常時作動させるべくタイマ回路１０に対して給電信号を出力する。
【００１９】
タイマ回路１０は、給電信号が入力されている間、受信回路６に対して継続的に給電を行う。このため、受信回路６は、マイコン７が起動モードの際には常時作動した状態となる。また、マイコン７は、ＩＤコード照合を行い、それらＩＤコード同士が一致したときにドアロック駆動装置８を駆動させてドア錠を解錠または施錠させる。これに対し、各ＩＤコード同士が一致しなかった場合マイコン７は、タイマ回路１０に対する給電信号の出力を停止するとともに、制御を起動モードから休止モードに切り換える。このため、受信回路６は、再びタイマ回路１０からの給電に基づいて間欠的に作動するようになる。
【００２０】
図５は、送信機２に備えられる送信回路１１の概略回路図である。
送信回路１１は、マイコン１２及び送信アンテナ１３に接続されている。送信機２の操作スイッチ２ａが操作されると、マイコン１２は送信回路１１に送信信号の生成を行う旨の信号及びＩＤコードを出力する。送信回路１１はマイコン１２から送信信号の生成を行う旨の信号及び所定のＩＤコードを含む信号が入力されると、搬送波を発振するとともに該搬送波にＩＤコードを変調して送信信号を生成し、該送信信号を送信アンテナ１３に出力する。
【００２１】
送信回路１１は可変容量コンデンサ１４、ＳＡＷ共振子１５及びオシレータ１６を備えている。可変容量コンデンサ１４はマイコン１２から印加される信号の電圧に応じてその静電容量が変化し、ＳＡＷ共振子１５は可変容量コンデンサ１４の静電容量に応じた周波数の信号を発振する。オシレータ１６はＳＡＷ共振子１５にて発振された信号を逓倍するとともにマイコン１２から入力されたＩＤコードを変調し、所定の周波数を持つ送信信号を生成する。
【００２２】
図１は、制御装置４に備えられる受信回路６の概略回路図である。
受信回路６は、ＲＦアンプ１７、ミキサ１８、ＩＦアンプ１９、バンドパスフィルタ２０を備えている。また、受信回路６は信号強度検出手段としての信号強度検出回路２１、検波手段としての検波回路２２、静電容量変更手段としての静電容量変更回路２３、周波数決定手段としての周波数決定回路２４及び局部発振手段としての位相同期ループ回路（ＰＬＬ回路）２５を備えている。ＲＦアンプ１７は図４に示す受信アンテナ５が接続され、該受信アンテナ５にて受信した信号を増幅してミキサ１８に出力する。
【００２３】
ミキサ１８の入力端子にはＲＦアンプ１７にて増幅された受信信号及びＰＬＬ回路２５にて発振された局部発振信号が入力される。ミキサ１８は両信号を混合して生成した中間周波信号をＩＦアンプ１９に出力する。中間周波信号はＰＬＬ回路２５から出力される局部発振信号及びＲＦアンプ１７から入力される受信信号に応じた強度を持つ。詳しくは、中間周波信号は、受信信号と局部発振信号との周波数の差に応じた強度となる。
【００２４】
ＩＦアンプ１９はミキサ１８にて生成された中間周波信号を増幅してバンドパスフィルタ２０に出力する。
バンドパスフィルタ２０はＩＦアンプ１９にて増幅された中間周波信号のうちの所定周波数領域の信号のみを抽出して、該信号を信号強度検出回路２１に出力する。
【００２５】
信号強度検出回路２１はバンドパスフィルタ２０から入力された中間周波信号を増幅するとともにその強度を検出する。詳しくは、信号強度検出回路２１はログアンプにて構成されるリミッタアンプ２６及びＲＳＳＩ回路２７を備えている。リミッタアンプ２６はバンドパスフィルタ２０から入力された信号を対数圧縮して検波回路２２に出力するとともに、該入力信号の強度をＲＳＳＩ回路２７に出力する。
【００２６】
ＲＳＳＩ回路２７はリミッタアンプ２６から入力された信号の強度に応じた強度電圧を静電容量変更回路２３に出力する。具体的にはリミッタアンプ２６に入力された信号が大きくなるのに伴い高い電圧を持つ強度電圧を静電容量変更回路２３に出力する。
【００２７】
検波回路２２はリミッタアンプ２６にて入力された信号に基づいて受信信号を検波する。検波回路２２はＦＭ検波回路２８及び位相変換回路２９を備えている。位相変換回路２９はＦＭ検波回路２８に入力された信号に基づいて、外信号の位相をπ／２ずらした信号を生成する。ＦＭ検波回路２８はリミッタアンプ２６にて入力された信号と、位相変換回路２９にて生成された信号との積により信号波を取り出すクォドラチュア検波にて受信信号の検波を行う。ＦＭ検波回路２８はこのようにしてＩＤコードを含む信号を検波すると、該信号を図４に示すマイコン７に出力する。
【００２８】
静電容量変更回路２３はＲＳＳＩ回路２７から入力される強度電圧、即ちリミッタアンプ２６に入力された信号の強度に応じて周波数決定回路２４の動作を制御する。静電容量変更回路２３はコンパレータ３０及びスイッチング素子としてのトランジスタ３１を備えている。
【００２９】
コンパレータ３０は、非反転入力端子がＲＳＳＩ回路２７及びコンデンサ３２に接続されており、反転入力端子が基準電圧回路３３に接続されている。コンデンサ３２は非反転入力端子の他側がグランドに接地されている。基準電圧回路３３は抵抗３４，３５を備えており、高電位電源電圧と低電位電源電圧の電位差を両抵抗３４，３５により分圧した基準電圧を生成する。コンパレータ３０は両入力端子に入力された強度電圧と基準電圧を比較した結果に応じたレベルの信号を出力する。
【００３０】
コンパレータ３０の出力端子は抵抗３６を介してトランジスタ３１に接続されている。従って、トランジスタ３１の動作はコンパレータ３０よって制御される。即ち、ＲＳＳＩ回路２７から入力された強度電圧が基準電圧よりも低い時にはコンパレータ３０によってトランジスタ３１がオンされ、強度電圧が基準電圧よりも高いときにはトランジスタ３１がオフされる。即ち、基準電圧は、リミッタアンプ２６に入力された信号の強度では好適に受信信号の検波が行えないであろうと推量される値に設定されている。
【００３１】
このように形成された静電容量変更回路２３は、ＲＳＳＩ回路２７にて生成される強度電圧の大きさによってトランジスタ３１をオンオフ制御する。詳しくは、信号強度検出回路２１に入力される信号が弱い時にはトランジスタ３１をオンし、信号が強い時にはトランジスタ３１をオフする。
【００３２】
周波数決定回路２４はＰＬＬ回路２５からミキサ１８に出力する信号の基準となる基準信号の生成を行う。
周波数決定回路２４は抵抗３７、ダイオード３８、積分回路３９、コンデンサ４０〜４２、コイル４３及び信号生成手段としての水晶発振回路４４を備えている。
【００３３】
トランジスタ３１のエミッタ端子は抵抗３７を介して高電位電源に接続され、トランジスタ３１のコレクタ端子はダイオード３８のアノードと、積分回路３９に接続されている。ダイオード３８のカソードは高電位電源に接続されている。
【００３４】
積分回路３９はコンデンサと抵抗からなり、その出力端子はコンデンサ４０とコンデンサ４１の間のノード４５に接続されている。積分回路３９は、トランジスタ３１がオンされたときに高電位電源から供給される電圧に基づき、ノード４５の電位をそのコンデンサ容量と抵抗値により決定される時定数に応じて上昇させる。
【００３５】
コンデンサ４０，４１は直列に接続されており、両コンデンサ４０，４１とコンデンサ４２は並列に接続されている。コンデンサ４０とコンデンサ４２の接続点はコイル４３を介して水晶発振回路４４に接続されている。コンデンサ４０，４２は通常のコンデンサであり、コンデンサ４１は可変容量コンデンサ４１である。可変容量コンデンサ４１は、ノード４５の電圧に応じた静電容量を持つ。従って、コンデンサ４０〜４２の合成容量は、ノード４５の電圧の変化による可変容量コンデンサ４１の静電容量の変化とともに変化する。そして、コンデンサ４０〜４２は、その合成容量により水晶発振回路４４から出力される信号の発振周波数を決定している。
【００３６】
水晶発振回路４４はコンデンサ４０〜４２の合成容量に基づいてＰＬＬ回路２５にて発振される局部発振信号の基準となる基準信号を生成し、該信号をＰＬＬ回路２５に出力する。
【００３７】
図２はコンデンサの合成容量の変化に伴う基準信号の周波数の変化を示すグラフである。図に示すように、コンデンサ４０〜４２の合成容量ＣがＣ１＋Ｃ２からΔＣだけ減少して静電容量Ｃ１となると、それに応じて基準信号の周波数ｆはｆ２からｆ１まで増加する。尚、コンデンサ４０〜４２の合成容量は直列に接続されたコンデンサ４０，４１の合成容量Ｃ２と両コンデンサ４０，４１と並列に接続されたコンデンサ４２の静電容量Ｃ１との和によって求められ、基準信号の周波数の変化幅は該コンデンサ４０〜４２の各静電容量にて決定される。
【００３８】
このように形成された周波数決定回路２４は、トランジスタ３１がオンされている間コンデンサ４０〜４２の合成容量が変化し、出力する基準信号の周波数を変化させる。例えば、トランジスタ３１がオンされと積分回路３９によって可変容量コンデンサ４１の印加電圧が上昇し、それに伴い可変容量コンデンサ４１の静電容量が減少して基準信号の周波数が高くなる。
【００３９】
ＰＬＬ回路２５は、周波数決定回路２４より入力された信号に基づいて局部発振信号を生成する。ＰＬＬ回路２５は電圧制御発振器（ＶＣＯ）４６、分周器４７及び比較器４８を備えている。
【００４０】
ＶＣＯ４６は比較器４８から入力された電圧に応じた発振周波数の信号（局部発振信号）を出力する。分周器４７はＶＣＯ４６にて生成された信号を分周して比較器４８に出力する。比較器４８は、分周器４７から入力される信号と周波数決定回路２４から入力される基準信号の位相を比較し、該比較結果に応じた電圧を持つ信号をＶＣＯ４６に出力する。このＰＬＬ回路２５は、分周器４７から出力される信号の周波数を基準信号のそれと一致させるように動作し、結果として基準信号の周波数を逓倍した周波数を持つ局部発振信号を生成する。この局部発振信号は、水晶発振回路４４の発振周波数がコンデンサ４１の静電容量、即ちＲＳＳＩ回路２７から出力される強度電圧、つまり中間周波信号の強度に応じて変化する。
【００４１】
図３はＰＬＬ回路２５にて出力される局部発振信号の周波数と、受信信号との関係を示す説明図である。図に示すように、受信回路６は、局部発振信号の周波数ｆｃを中心として所定の帯域幅にて受信信号を受信可能であり、図５に示すＳＡＷ共振子１５にて生成される送信信号Ｔｘの周波数は、素子のバラツキや周囲温度によって受信回路６の受信帯域よりも広い周波数公差の範囲内となる。
【００４２】
これに対し、受信回路６は、送信信号Ｔｘの周波数公差に対応して局部発振信号の周波数が開始周波数ｆ２から終了周波数ｆ１までスイープ（掃引）するように構成されている、即ち周波数決定回路２４のコンデンサ４０〜４２の静電容量が設定されている。
【００４３】
次に受信回路の作用を図１〜図３に基づいて説明する。
受信アンテナ５で受信された受信信号は、ＲＦアンプ１７、ミキサ１８、ＩＦアンプ１９、バンドパスフィルタ２０を経て信号強度検出回路２１に入力される。信号強度検出回路２１はバンドパスフィルタ２０にて入力された信号を検波回路２２に出力するとともに、該信号の強度に応じた強度電圧を静電容量変更回路２３に出力する。
【００４４】
静電容量変更回路２３及び周波数決定回路２４は信号強度検出回路２１から出力された強度電圧が低い時、即ち局部発振信号の帯域幅内に受信信号が存在しない時、トランジスタ３１をオンすることで、ＰＬＬ回路２５から出力される局部発振信号の周波数を増加する。そして、ミキサ１８から出力される中間周波信号を新たに生成すると、該中間周波信号に基づいた信号の強度を信号強度検出回路２１にて検出する。
【００４５】
受信回路はこのようにして局部発振信号の周波数を周波数ｆ２から周波数ｆ１まで徐々に増加させながら、信号強度検出回路２１から出力される強度電圧にて中間周波信号の強さを検出する。
【００４６】
そして、信号強度検出回路２１にて十分な強度の信号が検出されると、トランジスタ３１をオフして可変容量コンデンサ４１の印加電圧の変更を停止する。この時の局部発振信号の周波数は送信信号Ｔｘのそれとほぼ一致しており、受信回路６は送信信号Ｔｘ（受信信号）の周波数とほぼ一致した局部発振信号により中間周波信号を生成して該受信信号を復調する。尚、可変容量コンデンサ４１の印加電圧は、積分回路３９を構成するコンデンサにて受信動作を完了するまで（受信信号を復調する間）保持されるようになっている。
【００４７】
従って、本実施形態によれば以下のような効果を得ることができる。
（１）信号強度検出回路２１にて中間周波信号の強度を検出し、該中間周波信号の強度に応じて静電容量変更回路２３にて基準信号の周波数を調整することで局部発振信号の周波数を変更するようにした。従って、受信回路６は、送信機２から送信される送信信号、即ち受信信号の周波数に局部発振信号のそれを合わせるように動作する。この結果、送信信号（受信信号）の周波数が周囲の温度などにより変化しても強度の強い中間周波信号を得ることができ、受信信号を検波回路２２にて好適に検波することができる。換言すれば、送信機２に送信信号の周波数を安定にするために高価な水晶発振子を用いなくてもよいため、送信機２を安価にすることができる。
【００４８】
（２）ＰＬＬ回路２５は、周波数決定回路２４から入力される基準信号と分周器４７から出力される信号との位相を比較器４８にて比較し、両信号の位相及び周波数の違いに応じて局部発振信号を変化させる。従って、分周器４７から出力される信号は基準信号に追従して変化され、局部発振信号を基準信号にて確実に制御することができる。
【００４９】
（３）コンデンサ４０〜４２の合成容量は、直列に接続されたコンデンサ４０，４１の合成容量Ｃ２と両コンデンサ４０，４１と並列に接続されたコンデンサ４２の静電容量Ｃ１との和によって求められる。従って、コンデンサ４２の静電容量Ｃ１を好適に設定することにより、コンデンサ４０〜４２の合成容量の最小値を設定することができ、該合成容量を元に得られる基準信号の周波数の最大値を設定することができる。従って、検出範囲を所定範囲内に抑えることにより、検出時間を短縮することができる。
【００５０】
（４）可変容量コンデンサ４１には積分回路３９から電圧が供給されている。従って、可変容量コンデンサ４１の印加電圧を積分回路３９の時定数によって変更することができ、局部発振信号をスイープさせることができる。
【００５１】
（５）コンデンサ４０〜４２の合成容量の変更は信号強度検出回路２１から出力された強度電圧に応じてトランジスタ３１がオンオフ制御されることにより行われる。従って、ＣＰＵ等を備えることなく受信回路を構成することができる。
【００５２】
（６）送信機２はＳＡＷ共振子１５を用いて構成することができるため、水晶発振回路を用いた送信機に比べて落下などの衝撃に強い送信機を提供することができる。
【００５３】
尚、本発明の実施形態は以下のように変更してもよい。
・上記実施の形態において、周波数決定回路２４の構成及び接続関係を適時変更してもよい。
【００５４】
・上記実施の形態において、局部発振手段はＰＬＬ回路２５を用いて構成されていたが、その他の回路を用いて局部発振信号を基準信号に追従させるものでもよい。
【００５５】
・上記実施の形態においては、ＩＦアンプ１９により増幅された信号をバンドパスフィルタ２０を介してリミッタアンプ２６に入力したが、中間周波信号から受信信号を検波可能であればよく、バンドパスフィルタ２０の代わりにローパスフィルタを用いてもよい。
【００５６】
・上記実施の形態においては、静電容量変更回路２３をトランジスタ３１を備えて構成し、静電容量変更回路２３に入力される強度電圧に応じてトランジスタ３１の作動を制御し、周波数決定回路２４から出力される基準信号の周波数を調整した。しかし、基準信号の周波数を調整する方法は他のものを用いてもよく、例えば信号強度検出回路２１にて検出された中間周波信号の強度をＣＰＵに入力し、該ＣＰＵが予め記憶された関係式などに基づき基準信号の周波数を調整してもよい。
【００５７】
次に、上記実施の形態から把握できる技術的思想について、以下に記載する。
（イ）  前記スイッチング素子と前記可変容量コンデンサとの間に積分回路が接続され、該積分回路を介して前記可変容量コンデンサに電圧を供給することを特徴とする請求項３に記載の受信回路。この構成によれば、可変容量コンデンサに供給される電圧を積分回路の時定数に応じて徐々に変化させることができ、局部発振信号をスイープさせることができる。
【００５８】
（ロ）  前記局部発振手段は位相同期ループ回路を用いて構成されていることを特徴とする請求項１〜３及び上記（イ）のうちのいずれか一項に記載の受信回路。この構成によれば、局部発振信号は周波数決定手段により出力される基準信号の変化に追従し、効率よく生成される。
【００５９】
【発明の効果】
以上詳述したように、本発明によれば、送信電波を確実に受信可能な受信回路を提供することができる。
【図面の簡単な説明】
【図１】受信回路の概略ブロック回路図。
【図２】コンデンサ容量と発振周波数との関係を示す特性図。
【図３】受信回路の動作説明図。
【図４】リモートキーシステムの概略構成図。
【図５】送信回路のブロック回路図。
【符号の説明】
１８…ミキサ、２１…信号強度検出手段としての信号強度検出回路、２２…検波手段としての検波回路、２３…静電容量変更手段としての静電容量変更回路、２４…周波数決定手段としての周波数決定回路、２５…局部発振手段としてのＰＬＬ回路、３１…トランジスタ、３９…積分回路、４０〜４２…コンデンサ、４４…信号生成手段としての水晶発振回路。
【図１】
2004343294.tif 000003
【図２】
2004343294.tif 000004
【図３】
2004343294.tif 000005
【図４】
2004343294.tif 000006
【図５】
2004343294.tif 000007